(57)【要約】【課題】  一眼レフカメラのクイックリターンミラー機構は、作動速度が大きくなり、また繰り返し耐久回数が大きくなると、スタンバイ位置でのミラー角度が初期とずれてしまうという問題がある。【解決手段】  ミラーの樹脂製保持部材の、規制部材と当接する部分に、金属製部材をインサート成形することで、スタンバイ位置でのミラー角度の初期からのずれを軽減する事が可能になる。【選択図】  図８
2011039372.tif 000002
【特許請求の範囲】
【請求項１】
撮影レンズ（２）から入った光を所定方向へ導くミラー（３４）と、前記ミラー（３４）を保持し、且つ、被写体像を観察する第一の位置と撮影退避位置である第二の位置とを移動可能な樹脂製保持部材（３３）と、前記樹脂製保持部材と接触し、所定位置に規制する規制部材（１１ａ）と、を有する一眼レフカメラにおいて、前記樹脂製保持部材（３３）の、前記規制部材（１１ａ）と当接する部分に、金属製部材（３３ｂ）をインサート成形することを特徴とする一眼レフカメラ。
【請求項２】
請求項１に記載の一眼レフカメラにおいて、前記樹脂製保持部材（３３）にインサートされている金属製部材（３３ｂ）は、前記樹脂製保持部材（３３）内部で、Ｌ字形状になっている事を特徴とする一眼レフカメラ。
【請求項３】
請求項１及び請求項２に記載の一眼レフカメラにおいて、前記樹脂製保持部材（３３）にインサートされている金属製部材（３３ｂ）は、ステンレス板である事を特徴とする一眼レフカメラ。
【発明の詳細な説明】
【技術分野】
【０００１】
本発明は、一眼レフカメラにおける、ミラー角度を維持する構成に関するものである。
【背景技術】
【０００２】
一眼レフカメラにおいて、クイックリターン方式のミラーを保持する樹脂製保持部材では、樹脂以外の部材を一体的に成形する事で、クイックリターン動作性能を向上させるさまざまな提案がなされてる。
【０００３】
例えば、樹脂製保持部材とサブミラーとを一体的に成形する事で、高速運動が可能になる提案がされている（例えば特許文献１を参照）。
【先行技術文献】
【特許文献】
【０００４】
【特許文献１】特開２００２−３１１４９９号公報
【発明の概要】
【発明が解決しようとする課題】
【０００５】
上述の特許文献１におけるカメラは、ミラーの樹脂製保持部材とサブミラーとを一体的に成形する事で、クイックリターン動作性能を向上させる事が可能だが、樹脂製のサブミラーは平面度や反射率が従来のガラス製サブミラーよりも劣り、結果としてオートフォーカス性能が劣ってしまう。
【０００６】
本発明は、上記問題点に鑑みてなされたものであり、従来のガラス製ミラーを使用し、且つ高速でクイックリターン動作を繰り返し動作しても観察位置でのミラー角度の変化が少ない一眼レフカメラを提供することを目的としている。
【０００７】
また、前記、樹脂製保持部材に金属部材をインサート成形する再に、樹脂製保持部材内部で金属部材をＬ字形状にする事で、金属部材の脱落を防止する事が出来る、一眼レフカメラを提供することを目的としている。
【０００８】
更に、前記、樹脂製保持部材にインサート成形する金属部材の材質をステンレス板にする事で、安価で軽量な、一眼レフカメラを提供することを目的としている。
【課題を解決するための手段】
【０００９】
上記の目的を達成するために、本発明の一眼レフカメラは、
撮影レンズ（２）から入った光を所定方向へ導くミラー（３４）と、前記ミラー（３４）を保持し、且つ、被写体像を観察する第一の位置と撮影退避位置である第二の位置とを移動可能な樹脂製保持部材（３３）と、前記樹脂製保持部材と接触し、所定位置に規制する規制部材（１１ａ）と、を有する一眼レフカメラにおいて、前記樹脂製保持部材（３３）の、前記規制部材（１１ａ）と当接する部分に、金属製部材（３３ｂ）をインサート成形することを特徴とする。
【００１０】
また、前記樹脂製保持部材（３３）にインサートされている金属製部材（３３ｂ）は、前記樹脂製保持部材（３３）内部で、Ｌ字形状になっている事を特徴とする。
【００１１】
また、前記樹脂製保持部材（３３）にインサートされている金属製部材（３３ｂ）は、ステンレス板である事を特徴とする。
【発明の効果】
【００１２】
本発明によれば、撮影レンズから入った光を所定方向へ導くミラーと、前記ミラーを保持し、且つ、被写体像を観察する第一の位置と撮影退避位置である第二の位置とを移動可能な樹脂製保持部材と、前記樹脂製保持部材と接触し、所定位置に規制する規制部材と、を有する一眼レフカメラにおいて、前記樹脂製保持部材の、前記規制部材と当接する部分に、金属製部材をインサート成形することで、繰り返し高速で動作する際の、樹脂製保持部材および樹脂製保持部材に保持されるミラーの第一の位置での角度変化を軽減することが可能である。
【図面の簡単な説明】
【００１３】
【図１】一眼レフカメラの外観正面図（外装付き）。
【図２】本実施の形態による一眼レフカメラの中央右断面図。
【図３】本実施の形態による一眼レフカメラのスタンバイ状態でのクイックリターンミラーユニットの断面図。
【図４】本実施の形態による一眼レフカメラのスタンバイ状態でのクイックリターンミラーユニットの右側面図。
【図５】本実施の形態による一眼レフカメラのスタンバイ状態でのクイックリターンミラーユニットと、ミラーボックスの後方斜視図。
【図６】本実施の形態による一眼レフカメラのスタンバイ状態でのクイックリターンミラーユニットと、サブミラー角度調整ユニットの後方斜視図。
【図７】本実施の形態による一眼レフカメラのクイックリターンミラーユニットのミラーアップ状態（ａ）、ミラーアップからミラーダウン中のミラーダウン完了直前の状態（ｂ）、スタンバイ状態（ｃ）の左側面図。
【図８】本実施の形態による一眼レフカメラの樹脂製サブミラーホルダーの後方斜視図。
【図９】本実施の形態による一眼レフカメラの樹脂製サブミラーホルダーの右側面図及び断面図。
【発明を実施するための形態】
【００１４】
（実施例）
本発明による一眼レフカメラの実施の形態について、一眼レフカメラのクリックリターンミラー機構におけるサブミラーホルダーを例にし、図を参照しながら説明する。
【００１５】
図１は、一眼レフカメラの外観正面図である。図２は、一眼レフカメラの中央右断面図である。図３〜図９に、本実施の形態による一眼レフカメラの要部概略を示す。
【００１６】
１はカメラ、２は撮影レンズ、３はクイックリターンミラーユニット、４はミラーボックス、５はシャッターボタン、６は位相差オートフォーカス用のＡＦセンサーユニット、７は被写体像を観察する為の光学式ファインダーユニット、８はシャッター幕、９はＣＭＯＳセンサーやＣＣＤセンサーなどの撮像素子とその保持部材や各種フィルターなどにより構成される撮像装置、１０はバックライト照明付き液晶などの外部表示装置、θは撮影レンズ光軸とＡＦセンサーユニットへの撮影像の光軸との成す角度である。
【００１７】
次に、本発明の実施の形態の作動を、一眼レフカメラにおける、クイックリターンミラー機構のサブミラーを例にし、図１〜図９を用いて説明する。
【００１８】
図２は、撮影を行う前のスタンバイ状態、すなわち被写体像を観察する第一の位置を示している。図２の状態からシャッターボタン５が押されると、所定のシーケンスを経て、クイックリターンミラーユニット３はミラーアップ位置すなわち撮影退避位置である第二の位置へ移動し、且つ、シャッター幕８は、所定のシャッター秒時で露光を完了しミラーはスタンバイ状態に復帰する。
【００１９】
次に、図３は、スタンバイ状態でのクイックリターンミラーユニット３の断面状態を示している。クイックリターンミラーユニット３は、メインミラーホルダー３１、メインミラー３２、樹脂製保持部材３３、ミラー３４で構成される。
【００２０】
尚、本発明の実施の形態をサブミラーを例とする為、後述では、前記樹脂製保持部材３３をサブミラーホルダー３３及び前記ミラー３４をサブミラー３４とする。
【００２１】
メインミラー３２は、メインミラーホルダー３１に、サブミラー３４は、サブミラーホルダー３３に、それぞれ例えば接着材などにより固定されている。
【００２２】
図４は、スタンバイ状態でのクイックリターンミラーユニット３の右側面状態を示している。メインミラーホルダー３１は、軸３１ａが図５に示す様にミラーボックス４に対して回転可能な状態に勘合している。また、サブミラーホルダー３３の穴３３ａは、メインミラーホルダー３１の軸３１ｂに、回転可能な状態に勘合している。
【００２３】
図６は、スタンバイ状態でのクイックリターンミラーユニット３と、サブミラー角度調整ユニット１１の後方斜視図を示している。尚、ミラーボックス４が、クイックリターンミラーユニット３とサブミラー角度調整ユニット１１との間に介在するが、説明の為に図６からは削除している。サブミラーホルダー３３は、図中に無いスプリングの力により、サブミラー角度調整ユニット１１に固定されている、規制部材１１ａに当接する事により角度θを保証されている。サブミラーホルダー３３の角度θは、ＡＦセンサーユニット６に撮影レンズ２を通った被写体像を正確な角度θで導く為に、カメラの組立て工程内で、サブミラー角度調整ユニット１１により角度調整を行う事は公知である。
【００２４】
図７は、クイックリターンミラーユニット３のミラーアップ状態（ａ）、ミラーアップからミラーダウン中のミラーダウン完了直前の状態（ｂ）、スタンバイ状態（ｃ）の左側面状態を示している。カメラの撮影動作として、前述の通り、スタンバイ状態（ｃ）から、シャッターボタン５が押されると、所定のシーケンスを経て、クイックリターンミラーユニット３はミラーアップ状態（ａ）に移動し、且つ、シャッター幕８は、所定のシャッター秒時で露光を完了し、クイックリターンミラーユニット３はスタンバイ状態（ｃ）に復帰する。その際に、サブミラーホルダー３３は、規制部材１１ａに衝突した後、停止する。繰り返し撮影動作を行うと、サブミラーホルダー３３が規制部材１１ａに繰り返し衝突する事でサブミラーホルダー３３が樹脂製である為に、規制部材１１ａとの衝突により磨耗する。サブミラーホルダー３３の規制部材１１ａとの当接面が磨耗することで、スタンバイ状態（ａ）でのサブミラー角度θが、カメラの組立て工程内で角度調整された角度からずれてしまう。その結果として、ＡＦセンサーユニットが捕える被写体像がずれてしまい、オートフォーカス性能が低下する問題があった。
【００２５】
本発明では、図８に示す様に、樹脂製のサブミラーホルダー３３の規制部材１１ａとの当接面に金属製部材３３ｂをインサート成形することで、サブミラーホルダー３３の磨耗を防止し、カメラの組立て工程内で角度調整された角度θを維持する事が可能である。結果として、ＡＦセンサーユニット６への撮影像が、繰り返し撮影動作を行っても変化せずにオートフォーカス性能が維持可能となる。
【００２６】
次に、サブミラーホルダー３３にインサートされている金属製部材３３ｂは、前記サブミラーホルダー３３内部で、Ｌ字形状になっている事を特徴とする一眼レフカメラについて、図９を参照しながら説明する。
【００２７】
前述の実施の形態について、サブミラーホルダー３３の規制部材１１ａに繰り返し衝突する当接面に金属製部材３３ｂがインサート成形されている。図９の断面Ａ−Ａで示す通り、金属製部材３３ｂがサブミラーホルダー３３の内部で、Ｌ字形状になっている事で、金属製部材３３ｂが樹脂製のサブミラーホルダー３３から脱落する事を防止する効果及び当接面方向に浮いてしまう事を抑える効果が得られる。
【００２８】
次に、サブミラーホルダー３３にインサートされている金属製部材３３ｂは、ステンレス板である事を特徴とする一眼について、図９を参照しながら説明する。
【００２９】
前述の実施の形態について、金属製部材３３ｂは、ステンレス板であり、Ｌ字にプレス加工により製作されたものである。ステンレス板をプレス加工で製作する事により安価である。また軽量である事で、クイックリターンミラーユニットの作動イナーシャを抑える効果が得られる。
【００３０】
尚、本発明による一眼レフカメラの実施の形態について、一眼レフカメラのクリックリターンミラー機構におけるサブミラーホルダーを例に説明をしたが、例えばメインミラーホルダーにおいても、実施することが可能で、例えば被写体像を観察する際のずれを防止する効果が得られる。
【符号の説明】
【００３１】
１  カメラ本体
２  撮影レンズ
３  クイックリターンミラーユニット
４  ミラーボックス
５  シャッターボタン
６  ＡＦセンサーユニット
７  光学式ファインダーユニット
８  シャッター幕
９  ＣＭＯＳセンサーやＣＣＤセンサーなどの撮像素子とその保持部材や各種フィルターなどにより構成される撮像装置
１１  サブミラー角度調整ユニット
１１ａ  規制部材
３１  メインミラーホルダー
３２  メインミラー
３３  樹脂製保持部材（サブミラーホルダー）
３３ｂ  金属製部材
３４  ミラー（サブミラー）
θ  撮影レンズ光軸とＡＦセンサーユニットへの撮影像の光軸との成す角度
【図１】
2011039372.tif 000003
【図２】
2011039372.tif 000004
【図３】
2011039372.tif 000005
【図４】
2011039372.tif 000006
【図５】
2011039372.tif 000007
【図６】
2011039372.tif 000008
【図７】
2011039372.tif 000009
【図８】
2011039372.tif 000010
【図９】
2011039372.tif 000011